(57)【要約】【課題】下枠補助部材の精度の良い切断加工等を要せず、施工性の向上が図れると共に、下枠補助部材が合成樹脂製で熱収縮したとしても隙間が露見せず意匠性の向上が図れる開口部装置を提供する。【解決手段】建物の開口１０に設けられる上枠２ａ、下枠２ｂ及び左右の縦枠２ｃ，２ｄからなる枠体２を備えた開口部装置１であって、前記下枠２ｂは床面６より立上がった立上り部７を有し、該立上り部７を覆う下枠補助部材８を設けると共に、該下枠補助部材８の両端部に該端部及び前記開口１０の内側面１１との間を覆い隠す端部隠し部材１２を配置している。【選択図】          図４
2004169477.tif 000002
【特許請求の範囲】
【請求項１】
建物の開口に設けられる上枠、下枠及び左右の縦枠からなる枠体を備えた開口部装置であって、前記下枠は床面より立上がった立上り部を有し、該立上り部を覆う下枠補助部材を設けると共に、該下枠補助部材の両端部に該端部及び前記開口の内側面との間を覆い隠す端部隠し部材を配置したことを特徴とする開口部装置。
【発明の詳細な説明】
【０００１】
【発明の属する技術分野】
本発明は、開口部装置に係り、特に下枠の立上り部を覆う下枠補助部材を備えた開口部装置の改良に関する。
【０００２】
【従来の技術】
建物の開口に設けられる開口部装置としては、上枠、下枠及び左右の縦枠からなる枠体と、該枠体内に開閉自在に設けられた障子とを備えた引違い式等のサッシが知られている。このようなサッシにおいて、例えばツーバイフォー工法の建物などに適用されるものにおいては、下枠の納まりの関係で、下枠の一部が床面から立上がった状態となる場合がある。この場合、前記立上り部を足で踏むと痛いので、その痛みを和らげる目的で、立上り部を覆うように下枠補助部材（アタッチメントともいう）を取付けることが行われている。前記下枠補助部材は金属材例えばアルミニウム合金の押出形材からなっている。
【０００３】
なお、合成樹脂材の熱膨張を吸収する隙間をカバーで覆うようにした技術として、特公平７−１１１１３号公報、特許第３２２００４４号公報がある。
【０００４】
【特許文献１】
特公平７−１１１１３号公報
【特許文献２】
特許第３２２００４４号公報
【０００５】
【発明が解決しようとする課題】
しかしながら、前記サッシにおいては、開口に設けられた左右の縦額縁の内側面間に下枠補助部材をその内側面との間に隙間が生じないように取付けるために、内側面間の寸法に合わせて下枠補助部材を現場で精度良く切断加工しなければならなかった。また、現場によっては、縦枠のアングル部が縦額縁の表面に突出しないように縦額縁にシャクリ（抉り）部を加工したシャクリ付施工の場合と、シャクリ部を加工しないシャクリなし施工の場合とがあり、シャクリなし施工の場合には縦額縁の表面から突出したアングル部との干渉を避けるために下枠補助部材の両端部に切欠部を加工しなければならず、施工が大変であった。更に、金属製の下枠補助部材には冬場に結露が発生する問題もあった。なお、表面を合成樹脂製のシートで被覆した下枠補助部材を用いることもあるが、結露の問題は改善されなかった。
【０００６】
一方、結露の問題を解消するために、前記下枠補助部材を合成樹脂材により形成することが考えられるが、合成樹脂材は金属材よりも熱膨張率が大きいため、温度変化で額縁の内側面と下枠補助部材の端部との間に隙間が発生して露見し、見栄えが悪いという問題があった。
【０００７】
本発明は、前記事情を考慮してなされたもので、下枠補助部材の精度の良い切断加工等を要せず、施工性の向上が図れると共に、下枠補助部材が合成樹脂製で熱収縮したとしても隙間が露見せず意匠性の向上が図れる開口部装置を提供することを目的とする。
【０００８】
【課題を解決するための手段】
本発明は、建物の開口に設けられる上枠、下枠及び左右の縦枠からなる枠体を備えた開口部装置であって、前記下枠は床面より立上がった立上り部を有し、該立上り部を覆う下枠補助部材を設けると共に、該下枠補助部材の両端部に該端部及び前記開口の内側面との間を覆い隠す端部隠し部材を配置したことを特徴とする。
【０００９】
【発明の実施の形態】
以下に、本発明の実施の形態を添付図面に基いて詳述する。図１は本発明を引違いサッシに適用した実施の形態を示す正面図、図２は端部隠し部材の斜視図、図３は引違いサッシの縦断面図、図４は引違いサッシの横断面図、図５はシャクリなし施工の場合の部分的横断面図、図６はシャクリ付施工の場合とシャクリなし施工の場合の端部隠し部材の付け方を説明する説明図である。
【００１０】
図１、図３ないし図４において、１は開口部装置として例示した引違い式のサッシ、具体的にはテラスサッシである。このサッシ１は、建物の開口１０に設けられる上枠２ａ、下枠２ｂおよび左右の縦枠２ｃ，２ｄを組立ててなる枠体２と、この枠体２内に開閉自在に設けられる内外の障子３ａ，３ｂとを備えている。図示例の建物はツーバイフォー工法からなるものである。障子３ａ，３ｂは、上框４ａ、下框４ｂ及び左右の縦框４ｃ，４ｄを組立ててなる框体４内にガラスパネル５を装着して構成されている。
【００１１】
図示例の枠体２を構成する上枠２ａ、下枠２ｂは、金属製例えばアルミニウム合金製の室外側形材ｘと室内側形材ｙとを合成樹脂製のブリッジ材ｚを介して結合した断熱構造とされ、左右の縦枠２ｃ，２ｄは金属製例えばアルミニウム合金製の室外側形材ｘと合成樹脂製の室内側形材ｖとを結合した複合断熱構造とされている。また、框体２を構成する上框２ａ、下框２ｂ及び左右の縦框２ｃ，２ｄも、金属製例えばアルミニウム合金製の室外側形材ｘと合成樹脂製の室内側形材ｖとを結合した複合断熱構造とされている。
【００１２】
前記下枠２ｂは、排水性を良くすべく室内外方向に断面階段状に形成されている。また、前記下枠２ｂは室内側に室内の床面６より立上がった立上り部７を有している。図示例では、下枠２ｂの室内形材ｙが床面から立上がっており、その立上り部７によって室内への雨水等の水の浸入が防止されている。この立上り部７は幅（室内外方向の寸法）が狭くて足で踏むと痛く、また、見栄えも悪いので、これらを解消するために床面には立上り部を覆う所定幅例えば３０ｍｍ程度の下枠補助部材（アタッチメント）８が左右方向に沿って設けられていると共に、この下枠補助部材８の長手方向両端部には該端部及び前記開口１０の内側面１１との間を覆い隠す端部隠し部材１２が配置されている。
【００１３】
前記下枠補助部材８は、例えば図示例のサッシ１の場合、合成樹脂製の形材からなっている。下枠補助部材８は、左右長手方向に連続した長尺材からなり、中空構造とされている。下枠補助部材８は、その室外側上縁部が前記下枠の立上り部７の上端部に掛かるように立上り部７と略同じ高さか若干高い高さに形成されている。この下枠補助部材８の室内側上角部は、曲面状ないし曲面部１３を有するように形成されている。下枠補助部材８の上面部は、例えば水滴が室外側へ排水されるよう室外側に向って下り傾斜した傾斜面１４になっていることが好ましい。
【００１４】
前記上枠２ａ、下枠２ｂ及び左右の縦枠２ｃ，２ｄの室内端にはアングル部１５ａ，１５ｂ，１５ｃ，１５ｃがそれぞれ形成され、上枠２ａ及び左右の縦枠２ｃ，２ｄのアングル部１５ａ，１５ｃ，１５ｃは開口１０の内周に設けられた上額縁１６ａ及び左右の縦額縁１６ｂ，１６ｂに固着具例えばネジ１７でそれぞれ固定され、下枠２ｂのアングル部１５ｂは床面６にネジ１７で固定されている。縦額縁１６ｂにおいては、図４に示すようにアングル部１５ｃが縦額縁１６ｂの表面から突出しないように縦額縁１６ｂにシャクリ（抉り）部１８を加工したシャクリ付施工の場合と、図５に示すようにシャクリ部を加工しないシャクリなし施工の場合とがある。
【００１５】
下枠補助部材８の室内側下縁部にはこれを床面に固着具例えばネジ１９で固定するための固定片部２０が形成されている。この固定片部２０にはネジ１９を通す図示しない孔部が長手方向に適宜間隔で設けられ、これらの孔部は下枠補助部材８の熱膨張収縮を許容ないし吸収すべく長穴とされている。また、下枠補助部材８は、その両端部と両縦額縁１６ｂ，１６ｂの内側面１１との間に下枠補助部材８の熱膨張を吸収するための所定の隙間Ｓ，Ｓを形成し得る寸法で切断されている。
【００１６】
一方、前記端部隠し部材１２は、図２、図３ないし図４に示すように、前記下枠補助部材８の端部及び前記隙間Ｓを覆う大きさで、且つ下枠補助部材８の上面及び室内面の外形と略同じ断面形状で形成されている。前記端部隠し部材１２は、例えば合成樹脂製の形材からなっている。端部隠し部材１２の上面部は縦枠２ｃ，２ｄのアングル部１５ｃ，１５ｃの表面に結露した水滴が流下する時にこれを受け止めて室外側に排水案内するための室外側に向って下り傾斜の排水ガイド２１として形成されている。また、端部隠し部材１２の室内側上角部は下枠補助部材８と同様に曲面状ないし曲面部２２を有するように形成されている。
【００１７】
端部隠し部材１２の室内側下縁部には、これを床面６に固着具例えばネジ（図示省略）で固定するための固定片部２３が形成されている。この固定片部２３は下枠補助部材８の固定片部２０を覆うように形成されている。固定片部２３にはネジを通す孔部（図示省略）が予め形成されているか、或いは現場でドリルにより形成される。ネジが下枠補助部材８の熱膨張を阻害しないように、下枠補助部材８の端部にネジとの干渉を避けるための切欠部を設けることが好ましい。なお、端部隠し部材１２は端部を縦額縁１６ｂ及び縦枠のアングル部１５ｃの表面に強力粘着材で固定するようにしても良い。
【００１８】
縦額縁１６ｂには、シャクリ付施工の場合と、シャクリなし施工の場合とがあるため、これら両方に対応できるようにするために、前記端部隠し部材１２の一端部は垂直に切断されており、端部隠し部材１２の他端部は垂直に切断されていると共に縦額縁１６ｂの表面から突出したアングル部１５ｃを避けるための切欠部２５が設けられている。シャクリ付施工の場合には、図６の（ａ）に示すように両端の端部隠し部材１２，１２を切欠部２５，２５が内側に来るように配置し、シャクリなし施工の場合には、図６の（ｂ）に示すように両端の端部隠し部材１２，１２を切欠部２５，２５が外側に来るように配置すれば良い。すなわち、施工現場で下枠補助部材８の両端に配置される端部隠し部材１２，１２を左右入れ替えるだけで良い。なお、図６において、ｄは下枠補助部材の端部の熱膨張収縮量である。
【００１９】
以上の構成からなるサッシ（開口部装置）１においては、建物の開口１０に枠体２を取付けた後、開口（両縦額縁間）１０の幅に対応し、隙間Ｓを考慮した長さに現場で切断した下枠補助部材８を下枠２ｂの立上り部７を覆うようにして、且つ下枠補助部材８の両端部と開口１０の内側面１１，１１との間に所定の隙間Ｓ，Ｓが存するようにして床面６上に取付け、下枠補助部材８の両端部に端部隠し部材１２，１２を配置する。端部隠し部材１２は床面６上にネジで取付けても良く、或いは、端部隠し部材１２の端部を開口１０の内側面１１に強力粘着材で取付けても良い。
【００２０】
前記サッシ１によれば、建物の開口１０に設けられる上枠２ａ、下枠２ｂ及び左右の縦枠２ｃ，２ｄからなる枠体２と、この枠体２内に設けられた障子３ａ，３ｂとを備え、前記下枠２ｂは床面６より立上がった立上り部７を有し、この立上り部７を覆う下枠補助部材８を設けると共に、この下枠補助部材８の両端部に該端部及び前記開口１０の内側面１１との間（隙間Ｓ）を覆い隠す端部隠し部材１２，１２を配置したので、下枠補助部材８の精度の良い切断加工等を要せず、施工性の向上が図れると共に、下枠補助部材８が合成樹脂製で熱収縮したとしても隙間Ｓが露見せず意匠性の向上が図れる。
【００２１】
すなわち、端部隠し部材１２によって下枠補助部材８の端部が隠れるため、下枠補助材８の端部を開口１０の内側面１１に当接させていた従来技術と異なり、下枠補助材８の寸法精度や切り口の加工精度を要しない。このため、施工が容易であり、施工性の向上、工期の短縮及び施工コストの低減が図れる。下枠補助部材８が合成樹脂製であるため、結露の発生を防止することができる。また、下枠補助部材８が合成樹脂製であることにより熱膨張収縮が大きくても、その端部の移動を自由に許容することができ、端部の移動を拘束しないので下枠補助部材８が応力で破損する恐れが無く、また、下枠補助部材８の端部及び隙間Ｓが端部隠し部材１２により覆い隠されているので、隙間Ｓが露見せず、見栄えが良い。
【００２２】
更に、前記端部隠し部材１２は、一端部が垂直に切断されており、他端部が垂直に切断されていると共に縦額縁１６ｂの表面から突出したアングル部１５ｃを避けるための切欠部２５が設けられているため、シャクリ付施工の場合には、図６の（ａ）に示すように両端の端部隠し部材１２，１２を切欠部２５，２５が内側に来るように配置し、シャクリなし施工の場合には、図６の（ｂ）に示すように両端の端部隠し部材１２，１２を切欠部２５，２５が外側に来るように配置すれば良く、施工現場で下枠補助部材８の両端に配置される端部隠し部材１２，１２を左右入れ替えるだけでシャクリ付施工の場合とシャクリなし施工の場合の何れにも対応することができる。また、このように予め端部隠し部材１２に切欠部２５が設けられているため、現場で切欠部２５を加工する必要が無く、施工性の向上が図れる。
【００２３】
以上、本発明の実施の形態を図面により詳述してきたが、本発明は前記実施の形態に限定されるものではなく、本発明の要旨を逸脱しない範囲での種々の設計変更等が可能である。例えば、前記実施の形態ないし実施例では、下枠補助部材が合成樹脂製であるが、金属製例えばアルミニウム合金の押出形材からなっていても良い。また、端部隠し部材も合成樹脂製であるが、金属製であっても良い。
【００２４】
枠体を構成する上枠、下枠及び左右の縦枠、框体を構成する上框、下框及び左右の縦框は、合成樹脂製であっても良く、或いは、金属製であっても良い。また、本発明が適用される開口部装置としては、引違いサッシ以外に、例えばドアサッシ等であっても良い。障子は開閉自在ではなく、嵌め殺しであっても良い。
【００２５】
【発明の効果】
以上要するに本発明によれば、建物の開口に設けられる上枠、下枠及び左右の縦枠からなる枠体を備えた開口部装置であって、前記下枠は床面より立上がった立上り部を有し、該立上り部を覆う下枠補助部材を設けると共に、該下枠補助部材の両端部に該端部及び前記開口の内側面との間を覆い隠す端部隠し部材を配置したので、下枠補助部材の精度の良い切断加工等を要せず、施工性の向上が図れると共に、下枠補助部材が合成樹脂製で熱収縮したとしても隙間が露見せず意匠性の向上が図れる。
【図面の簡単な説明】
【図１】本発明を引違いサッシに適用した実施の形態を示す正面図である。
【図２】端部隠し部材の斜視図である。
【図３】引違いサッシの縦断面図である。
【図４】引違いサッシの横断面図である。
【図５】シャクリなし施工の場合の部分的横断面図である。
【図６】シャクリ付施工の場合とシャクリなし施工の場合の端部隠し部材の付け方を説明する説明図である。
【符号の説明】
１  サッシ（開口部装置）
２  枠体
２ａ  上枠
２ｂ  下枠
２ｃ、２ｄ  縦枠
３ａ，３ｂ  障子
６  床面
７  立上り部
８  下枠補助部材
１０  建物の開口
１１  開口の内側面
１２  端部隠し部材
２５  切欠部
【図１】
2004169477.tif 000003
【図２】
2004169477.tif 000004
【図３】
2004169477.tif 000005
【図４】
2004169477.tif 000006
【図５】
2004169477.tif 000007
【図６】
2004169477.tif 000008